(57)【要約】接地車輪（３）の回転が自動的に回路（１５，１６）およびそれぞれ車輪（３）および第２の装置（５）へ取付けた液圧原動機（４，６）を介して第２の装置が必要とする駆動（５）を回転する液圧的に駆動される装置。この装置は一具体例において掃除機装置の回転ほうき（５）を駆動する伝動システムとして使用されることを含む多数の用途に使用される。
2004508524.tif 000002
【特許請求の範囲】
【請求項１】
車輛の第１の車輪の回転を第１の車輪から遠方の車輛の第２の車輪へ直動するための伝導システムであって、
第１の液圧原動機が接地車輪の回転によって駆動される態様で接地車輪に附属した該第１の液圧原動機を有する接地車輪と、附属した第２の液圧原動機を有する第２の車輪と、そして第１および第２の液圧原動機間の閉鎖回路を備え、地面との摩擦接触およびその上の運動の結果として接地車輪が回転する時、圧力流体が液体回路内および液圧原動機間を循環する時第２の車輪の対応する回転が生起するように配置され、構成されている伝動システム。
【請求項２】
第１の車輪はキャスター輪であり、第２の車輪は回転可能具である請求項１の伝動システム。
【請求項３】
前記キャスター輪は、キャスター輪が垂直軸上で旋回することを許容し、加えて閉鎖回路内の圧力流体がそれによって駆動される原動機へおよびそれからポンプされることができる流体継手によって車輛に関して装着されている請求項１の伝動システム。
【請求項４】
本体と、本体によって支持された接地車輪と、本体に関して軸支された回転し得るほうきと、掃き取った材料を本体の区画内に収集するための手段と、そして接地車輪が回転する時回転し得るほうきを駆動するための請求項１の伝動手段を備えている掃除機装置。
【請求項５】
掃除機の本体を原動機つき車輛へ接続するための継手手段を含んでいる請求項４の掃除機装置。
【請求項６】
本体は掃除機の運搬および作業の目的のためフォークリフトのフォークを受入れるための手段を備えている請求項４の掃除機装置。
【請求項７】
本体は掃き取った材料を放出するため回動して開くことができる収集プレートを本体のベースに備えている請求項４の掃除機装置。
【請求項８】
本体は回転し得るほうきの前方位置にレベリング車輛を備えている請求項４の掃除機装置。
【請求項９】
第１および第２の原動機の容量は液圧歯車比を提供するように変動することができる請求項４の掃除機装置。
【請求項１０】
各原動機は第１および第２の車輪のハブ車軸に附属している請求項４の掃除機装置。
【発明の詳細な説明】
【０００１】
【技術分野】
本発明は回転伝動システム、そして特に回転装置が車輛または装置の接地車輪によって間接的に駆動される場合の装置に関する。
【０００２】
【背景技術】
当該装置の接地車輪の運動がそれに附属する回転部材を駆動するための運動力を提供する装置の例は多数存在する。
【０００３】
芝刈機、収穫機および掃除機はすべてそのような装置の実例である。すべての場合、接地車輪の回転は、ベルト、歯車、チェーンまたはそれらの組合せを含み得る機械的駆動システムによって回転部材へ伝導される。
【０００４】
このタイプの機械駆動は費用がかさみ、そして特にもし装置がほこりの多いそして汚ない環境で使用されるならば定期的に保守を必要とし得る。
【０００５】
本発明の目的は、接地車輪の運動がそれに附属する回転部材の回転を直動する改良された装置を提供することにある。
【０００６】
本発明のさらなる目的および利益は、例示として与えた説明を追求することから明らかになるであろう。
【０００７】
【本発明の開示】
本発明の第１の面によれば、車輛の第１の車輪の回転を第１の車輪から遠方の車輛の第２の車輪へ直動するための伝導システムが提供され、該システムは、接地車輪の回転によって駆動される態様に関連させた第１の液圧原動機を有する接地車輪と、関連させた第２の液圧原動機を有する第２の車輪と、そして両液圧原動機の間の閉鎖回路を備え、地面との摩擦接触およびその上の運動の結果として接地車輪が回転する時、圧力流体が液圧回路内および液圧原動機を循環するにつれ第２の車輪の対応する回転が生起する配置され構成されている。
【０００８】
第１の車輪はキャスター輪で、そして第２の車輪は回転具であることができる。このキャスター輪は流体継手によって車輛へ装着することができ、これはキャスター輪が垂直軸上で旋回することを許容し、加えて閉鎖回路内の流体が駆動原動機からまたそれへポンプされることができる手段を提供する。
【０００９】
本発明のさらなる面によれば、本体と、本体によって支持された接地車輪と、本体に対して軸支された回転ほうきと、本体の区画内に掃き取った材料を収集するための手段と、そして接地車輪が回転する時回転ほうきを駆動するための前述した伝動手段を備える掃除機装置が提供される。
【００１０】
掃除機の本体を原動機つき車輛へ接続するため継手手段を備えることができる。
【００１１】
本体は掃除機の運搬および作業の目的でフォークリフトのフォークを受け入れる手段を備えることができる。
【００１２】
本体はそのベースに掃き取った材料を放出するため回動して開くことができる収集プレートを備えることができる。
【００１３】
本体はレベリングキャスター輪を第２の車輪の前方位置に備えることができる。
【００１４】
第１および第２の原動機の容量は液圧歯車比を提供するように変動することができる。
【００１５】
原動機は第１および第２の車輪のハブ車軸へ関連させることができる。
【００１６】
図面の図１ないし４に関し、本発明の一具体例において、本体２と、本体によって支持された接地車輪３と、車輪３が回転する時駆動されそして接地車輪へ接続された第１の液圧原動機４と、および第１の液圧原動機と連通することができ、かつ接地車輪３が回転する時第２の車輪もしくは装置５を駆動するように第２の液圧原動機６によって駆動される第２の車輪もしくは装置５を備えている、一般的に矢印１によって指示された掃除装置が提供される。
【００１７】
原動機４および６は一般的の液圧原動機であり、適切な原動機タイプはオーストラリア、クィーンズランド州のＢｅｒｅｎｄｓｅｎ　Ｆｌｕｉｄ　ＰｏｗｅｒからＥＡＴＯＮの名称で販売されている。
【００１８】
図示した掃除装置において、第２の車輪５は回転ほうきである。
【００１９】
本体２の内部は、第１および第２の車輪に関連した原動機間の連結流体回路を含んでいる。
【００２０】
細長スロット７は、装置を持上げ、そして車輪３を地面と摩擦接触に保ちながらそれを地面の上を動かす目的のためにフォークリフトのフォークによって係合されることができる手段を提供する。
【００２１】
本体２は、タンクと液圧原動機４および６との閉鎖回路内の流体のための貯蔵タンク８を搭載する。
【００２２】
本体２は図５に図示されるようにフラップとドアを備えることができる。
【００２３】
前頂部ドア２ａはほうき５に隣接した本体２の内部へのアクセスを提供する。
【００２４】
地面接触車輪３はターレット９内に収容され、それへのアクセスはヒンジ止めされた後方ドア１０によって容易化されることができる。
【００２５】
ほうき５へ隣接する傾斜板１１はほうきによって掃き取られた材料を収集し、そして本体のベースにあるヒンジ止め収集プレート１２上にそれを留める。
【００２６】
前方キャスター輪１３は本体２に対しレベリング安定性を提供する。
【００２７】
図面の図６に関し、第１および第２の車輪３および５の間の集積液体回路は、一般に矢印１４で指示した流体継手および貯蔵タンク８を含んでいる。
【００２８】
液圧原動機４および６は、圧力および吸引ラインそれぞれ１５および１６を含んでいる閉鎖回路を介して連通して得る。
【００２９】
吸引ライン１６は貯蔵タンク８と原動機４および６の各自の間に接続される。
【００３０】
タンク８から第１の原動機４への吸引ライン１６は流体継手１４を通過する。
【００３１】
流体回路は排気フィルター１７とそして圧力解放弁１８を含むことができる。
【００３２】
適切な解放弁はオーストラリア、クィーンズランド州のＦｌｕｉｄ　Ｐｏｗｅｒからコード１０−２２のもとに販売されている。
【００３３】
図６の経路矢印は、接地車輪３が大地との接触によって回転させられ、地面をどの方向へでも運動する時発生する、液体回路における流体流れ方向を指示している。
【００３４】
図面の図７および７ａにおいて、流体継手１４は逆止弁２０，２１，２２および２３を含んでいる逆転弁回路を含んでいる。
【００３５】
図７に関し、キャスター輪が反時計（前方）方向に駆動される時、吸引ライン１６中の弁２０および圧力ライン１５中の弁２３が開き、そしてバイパスライン２４中の弁２１，２２は閉じるであろう。
【００３６】
対照的にそして図７ａによって示されるように、キャスター輪が時計（後方）方向へ駆動される時、吸引ライン１６および圧力ライン１５中の弁２０および２３は閉じ、そしてバイパスライン２４中の弁２１および２２は開くであろう。
【００３７】
このようにキャスター輪がどの方向に回転しようとも、流体の陽圧がポンプ６へ供給される。
【００３８】
図８に関し、流体回転継手１４は外側ハブ２５と、該ハブ中に軸支された内側シャフト２６を含んでいる。
【００３９】
外側ハブ２５およびシャフト２６は圧力ライン１５および吸引ライン１６を持っている。
【００４０】
取付フランジ２７はそれによって継手を装置の車輪へ固定することができる手段を提供し、さらなるフランジ２８はそれによって継手をキャスター輪へ固定することができる手段を提供する。
【００４１】
液体シール２９は、それぞれの圧力ライン１５および吸引ラインがその中へ供給される共通のチャンバー３０を隔離する。
【００４２】
ローラーベアリング３１，３２はキャスター輪本体が外側ハブ２５に関して回転することを許容する。
【００４３】
フランジ２７をシャフト２６へ固定するためナット３３およびロックワッシャー３４が使用される。
【００４４】
原動機４および６（時折り液圧積極的変位ポンプと称される）は比較的メンテナンスフリー伝動システムを提供し、選択した適用に適するのに十分なパワーと回転速度を提供するであろう。
【００４５】
原動機４および６は有意な流体歯車比を提供するように選択することができる。
【００４６】
例えば４０ｃｃ容量の大容量原動機４をキャスター輪に関連させ、そしてある流体歯車比を提供するよう例えば２０ｃｃ容量の小容量原動機６と共に閉鎖回路に組入れることができる。
【００４７】
図面の図９および９ａに関し、接地車輪３は継手１４を介して一般に３５によって指示した原動機装着ハブによって本体により支持される。ハブ３５は継手へ接続された片持ち支持部材３７から延びる箱断面部材３６を含んでいる。
【００４８】
原動機４の出力シャフト３８はテーパー駆動３９および保持ナット４０によって車輪３へ固定される。
【００４９】
車輪３は金属リム４１とゴムタイヤ４２を含んでいる。
【００５０】
原動機４は、水力学的に前に記載したように流体継手へそして次に原動機６へ接続し戻される。
【００５１】
車輪が回転する時、原動機４は前に記載したように作動化される。
【００５２】
同様な原動機の車輪への接続はほうき輪５へもなされる。
【００５３】
本発明の伝動システムは記載した掃除装置に関して記載されたが、類似の情況にある他の装置、例えば収穫機、芝刈機等にも取入れることができることを認めるべきである。
【００５４】
例示目的のみで本発明の種々の面を記載したが、特許請求の範囲に記載した本発明の範囲を逸脱することなく修飾および附加をなすことができることが認められるであろう。
【図面の簡単な説明】
【図１】本発明を取入れた掃除装置の平面図である。
【図２】本発明を取入れた掃除装置の正面図である。
【図３】本発明を取入れた掃除装置の側面図である。
【図４】本発明を取入れた掃除装置の背面図である。
【図５】図１の装置の主要部品の概略図である。
【図６】図１の装置の液圧部品および駆動および被駆動車輪の概略図である。
【図７】本発明の装置のための逆転弁回路の回路図である。
【図７ａ】本発明の装置のための逆転弁回路の回路図である。
【図８】図１の装置のための流体継手の断面図である。
【図９】図１の装置のための駆動輪の断面図および側面図である。
【図９ａ】図１の装置のための駆動輪の断面図および側面図である。
【国際公開パンフレット】
2004508524.tif 000003
2004508524.tif 000004
2004508524.tif 000005
2004508524.tif 000006
2004508524.tif 000007
2004508524.tif 000008
2004508524.tif 000009
2004508524.tif 000010
2004508524.tif 000011
2004508524.tif 000012
2004508524.tif 000013
2004508524.tif 000014
2004508524.tif 000015
2004508524.tif 000016
【国際調査報告】
2004508524.tif 000017
2004508524.tif 000018